(57)【特許請求の範囲】
【請求項１】
第一の筐体と第二の筐体とがヒンジ部を介して相互に回転し開閉可能な構造の携帯電話機において、
当該携帯電話機の閉状態を検出する第一の検出手段と、
前記携帯電話機の全開状態を検出する第二の検出手段と、
前記第一の検出手段と前記第二の検出手段によって夫々検出された検出結果に基づいて前記携帯電話機が閉状態、全開状態、又は全開状態と閉状態との間の状態である半開状態、のいずれの状態にあるかを判定する判定手段と、
ユーザーが入力した指示入力に基づいて、前記携帯電話機が有する複数の機能のうち開閉状態に応じた機能を割り当てる割当手段と、
前記閉状態、前記全開状態、前記半開状態の夫々の状態に対して、前記携帯電話機が有する複数の機能のうちいずれか一の機能を割り当て、前記判定された状態に応じて前記機能の切替制御を行う制御手段を備え、
着信時での着信通知機能においては、前記割り当てる機能として、着信音のみ、バイブレータのみ、または、着信音とバイブレータの併用、のどれかであることを特徴とする携帯電話機。
【請求項２】
前記割り当てる機能が、閉状態時は着信音とバイブレータの併用、全開状態はバイブレータのみ、半開状態は着信音のみで、あることを特徴とする請求項１記載の携帯電話。
【請求項３】
第一の筐体と第二の筐体とが互いにスライド可能に連結し伸縮可能な携帯電話機において、
当該携帯電話機の閉状態を検出する第一の検出手段と、
前記携帯電話機の全開状態を検出する第二の検出手段と、
前記第一の検出手段と前記第二の検出手段によって夫々検出された検出結果に基づいて前記携帯電話機が全開状態、閉状態、又は全開状態と閉状態との間の状態である半開状態、のいずれの状態にあるかを判定する判定手段と、
ユーザーが入力した指示入力に基づいて、前記携帯電話機が有する複数の機能のうち開閉状態に応じた機能を割り当てる割当手段と、
前記閉状態、前記全開状態、前記半開状態の夫々の状態に対して、前記携帯電話機が有する複数の機能のうちいずれか一の機能を割り当て、前記判定された状態に応じて前記機能の切替制御を行う制御手段を備え、
着信時での着信通知機能においては、前記割り当てる機能として、着信音のみ、バイブレータのみ、または、着信音とバイブレータの併用のどれかであることを特徴とする携帯電話機。
【請求項４】
前記割り当てる機能が、閉状態時は着信音とバイブレータの併用、全開状態はバイブレータのみ、半開状態は着信音のみ、であることを特徴とする請求項３記載の携帯電話。
【発明の詳細な説明】
【０００１】
【発明の属する技術分野】
本発明は、携帯電話機の技術分野に属し、より詳細には、携帯電話機本体の開閉操作により機能の切替を行う携帯電話機の技術分野に属する。
【０００２】
【従来の技術】
最近の携帯電話機は、電子メールや着信メロディ、ブラウザ等の多彩な機能が搭載されており、電話機としてだけでなく情報端末としても利用されている。そのため、高機能化と情報処理量の増加からより多くの情報量を表示できる大きな画面のものが求められている。しかしながら一方では、小型化や軽量化といった携帯性の要求も強い。
【０００３】
そこで、大画面化の要請と携帯性の要請を共に満たすものとして、本体を２つに分割して折畳可能な構造とする、いわゆる折畳式携帯電話機が主流となりつつある。また、同様の理由から本体を２つに分割しスライド構造により収縮可能なスライド式携帯電話機も開発されている。
【０００４】
このような折畳式又はスライド式携帯電話機においては、形態の変化のないいわゆる一体型携帯電話機とは異なり、形態の変化に応じた機能の切替の必要性がでてくる。
【０００５】
例えば、画面表示機能については、折り畳んで閉じた状態では画面表示は必要ではなく、消費電力削減のため画面表示はオフにし、本体を開いた状態のときにのみ画面表示するように機能を切替できればよい。
【０００６】
そこで、携帯電話機の形態の変化により機能を切替えるため、例えば特開2001−257754号公報に開示されているように、本体が折り畳まれているか否かを検知する手段を携帯電話機に設ける方法がある。この方法によれば、本体が折り畳まれている状態を検知したときと折り畳まれていない状態を検出したときとで機能を切替えることが可能となる。
【０００７】
【発明が解決しようとする課題】
ところで、これらの折畳や収納可能な携帯電話機においては、ユーザーは使用状態に応じて形態を変化させる。例えば、電話やメール使用時には折畳式携帯電話機を全開状態にし、机の上に置くときは、倒れないように半開きの状態にし、ポケット等に収納し携帯するときには、折り畳んで閉じた状態にする。
【０００８】
しかしながら、上述した従来の携帯電話機の構成によると、携帯電話機が開いた状態にあるか否かの検出を行うのみであるため、ユーザーのさまざまな使用状態に応じて携帯電話機の機能を切替えることはできなかった。
【０００９】
そのためユーザーは、その使用状態に応じて機能の切替を手動のボタン操作で行わなければならず、不便であった。
【００１０】
そこで本発明は上記の問題点に鑑みて為されたものであり、その課題は、ユーザーの使用状態に合わせて携帯電話機の各種機能を切替可能とし、また操作の簡易化を可能とする携帯電話機を提供することにある。
【００１１】
【課題を解決するための手段】
上記の課題を解決するため、請求項１に記載の発明は、第一の筐体と第二の筐体とがヒンジ部を介して相互に回転し開閉可能な構造の携帯電話機において、当該携帯電話機の閉状態を検出する第一の検出手段と、前記携帯電話機の全開状態を検出する第二の検出手段と、前記第一の検出手段と前記第二の検出手段によって夫々検出された検出結果に基づいて前記携帯電話機が閉状態、全開状態、又は全開状態と閉状態との間の状態である半開状態、のいずれの状態にあるかを判定する判定手段と、ユーザーが入力した指示入力に基づいて、前記携帯電話機が有する複数の機能のうち、開閉状態に応じた機能を割り当てる割当手段とを備えるように構成され、前記閉状態、前記全開状態、前記半開状態の夫々の状態に対して、前記携帯電話機が有する複数の機能のうちいずれか一の機能を割り当て、前記判定された状態に応じて前記機能の切替制御を行う制御手段を備え、着信時での着信通知機能においては、前記割り当てる機能として、着信音のみ、バイブレータのみ、または、着信音とバイブレータの併用、のどれかであることを特徴とする。
【００１３】
請求項２に記載の発明は、請求項１に記載の携帯電話であって前記割り当てる機能が、閉状態時は着信音とバイブレータの併用、全開状態はバイブレータのみ、半開状態は着信音のみ、であることを特徴とする。
【００２２】
請求項３に記載の発明は、第一の筐体と第二の筐体とが互いにスライド可能に連結し伸縮可能な携帯電話機において、当該携帯電話機の閉状態を検出する第一の検出手段と、前記携帯電話機の全開状態を検出する第二の検出手段と、前記第一の検出手段と前記第二の検出手段によって夫々検出された検出結果に基づいて前記携帯電話機が全開状態、閉状態、又は全開状態と閉状態との間の状態である半開状態、のいずれの状態にあるかを判定する判定手段と、ユーザーが入力した指示入力に基づいて、前記携帯電話機が有する複数の機能のうち、開閉状態に応じた機能を割り当てる割当手段と、前記閉状態、前記全開状態、前記半開状態の夫々の状態に対して、前記携帯電話機が有する複数の機能のうちいずれか一の機能を割り当て、前記判定された状態に応じて前記機能の切替制御を行う制御手段を備えて構成され、着信時での着信通知機能においては、前記割り当てる機能として、着信音のみ、バイブレータのみ、または、着信音とバイブレータの併用のどれかであることを特徴とする。
【００２４】
請求項４に記載の発明は、請求項３に記載の携帯電話であって前記割り当てる機能が、閉状態時は着信音とバイブレータの併用、全開状態はバイブレータのみ、半開状態は着信音のみ、であることを特徴とする。
【００２８】
【発明の実施の形態】
（Ｉ）第１実施形態
本発明に好適な第１の実施の形態について、図面に基づいて説明する。
【００２９】
本実施形態は、折畳式携帯電話機の開閉状態を検出し、検出した開閉状態に応じて携帯電話機の有する複数の機能を切替える場合についてのものである。
（１）全体構成
まず、本発明に係る折畳式携帯電話機の構成について図１を用いて説明する。
【００３０】
図１は本発明の第１実施形態に係る折畳式携帯電話機の外観構成例を示す図である。
【００３１】
図１に示すように折畳式携帯電話機１は、大別して第一の筐体としての本体部２と、第二の筐体としてのカバー部３と、ヒンジ部としてのヒンジ機構４と、各種情報を表示するディスプレイ５と、入力手段としての操作部１２と、を含んで構成される。
【００３２】
折畳式携帯電話機１は、本体部２とカバー部３とがヒンジ機構４を介して相互に回転し開閉可能な構造となっている。
【００３３】
ここで、図２を用いて折畳式携帯電話機１の開閉状態について説明する。
【００３４】
図２は本発明の第１実施形態に係る折畳式携帯電話機１の開閉状態を示す側面図である。
【００３５】
図２（Ａ）は、折畳式携帯電話機１が完全に折りたたまれ閉じた状態にあることを示しており、この状態を本明細書においては閉状態と呼ぶ。
【００３６】
図２（Ｂ）は、折畳式携帯電話機１が完全に開いた状態にあることを示しており、この状態を本明細書においては全開状態と呼ぶ。
【００３７】
図２（Ｃ）は、折畳式携帯電話機１が全開状態と閉状態との間の状態にあることを示しており、この状態を本明細書においては半開状態と呼ぶ。
【００３８】
次に折畳式携帯電話機１の機能について図３を用いて説明する。
【００３９】
図３は本発明の第１実施形態に係る折畳式携帯電話機１の機能ブロックの一例を示す図である。
【００４０】
折畳式携帯電話機１は、ディスプレイ５と、閉状態検出回路６と、全開状態検出回路７と、ＣＰＵ８と、各種機能設定等を記憶するメモリ９と、折畳式携帯電話機１を振動させるバイブレータ１０と、ディスプレイ５の画面表示を明るくするための光源としてのバックライト１１と、操作部１２と、を含んで構成する。
【００４１】
閉状態検出回路６は、折畳式携帯電話機１の開閉状態が閉状態にあるか否かを検出する第一の検出手段として機能し、全開状態検出回路７は開閉状態が全開状態にあるか否かを検出する第二の検出手段として機能する。
【００４２】
ＣＰＵ８は、２つの検出回路の検出結果により折畳式携帯電話機１の開閉状態が、閉状態、全開状態、または半開状態のいずれの状態にあるかを判定する判定手段として機能する。またＣＰＵ８は開閉状態の判定結果に応じて、入力手段として機能する操作部１２を通じてメモリ９に設定記憶されたユーザーの指定する動作を行うようにバックライト１１やディスプレイ５やバイブレータ１０の動作を制御する制御手段としても機能する。
（２）開閉状態の検出
次に、折畳式携帯電話機１の開閉状態の検出動作について説明する。
【００４３】
これらの検出回路は本体部２の内部とカバー部３の内部の２箇所に設置された素子の接近状態によって異なる２つの信号を送出する回路である。閉状態検出回路６と全開状態検出回路７は原理的には同じものであるが、素子を設置する個所がそれぞれ異なっている。
【００４４】
ここでは図４により閉状態検出回路６を例にとり素子の接近状態の検出方法について説明する。
【００４５】
図４は磁石式スイッチの検出動作を示す図である。
【００４６】
閉状態検出回路６は、磁石１３と磁力でＯＮ／ＯＦＦ動作するスイッチ（磁力ＳＷ１４）の２つの素子で構成されており、磁力ＳＷ１４はＣＰＵ８と接続されており、磁力ＳＷ１４はＯＮ／ＯＦＦ状態によりそれぞれ異なる信号をＣＰＵ８に送出する。
【００４７】
図４（Ａ）に示すように磁石１３が磁力ＳＷ１４に接近すると磁力で磁力ＳＷ１４はＯＮ状態になる。このとき磁力ＳＷ１４はＯＮ状態であることを示す信号をＣＰＵ８に送出する。  図４（Ｂ）に示すように磁石が近くにない場合、磁力ＳＷ１４はＯＦＦ状態になっている。このとき、磁力ＳＷ１４はＯＦＦ状態であることを示す信号をＣＰＵ８に送出する。
【００４８】
次に、図５を用いて開閉時の回路の動作について説明する。
【００４９】
図５は本発明の第１実施形態に係る折畳式携帯電話機の開閉検出動作を示す側面図である。
【００５０】
図５（Ａ）（Ｂ）に示すように、折畳式携帯電話機１にはカバー部３に磁石１３、他方の本体部２には磁力ＳＷ１４からなる閉状態検出回路６が設置してある。この２つの素子は折畳式携帯電話機１が図５（Ａ）のように閉状態にある場合に接近し、図５（Ｂ）のように閉状態にない場合には離れるような位置に設置されている。
【００５１】
折畳式携帯電話機１を閉じてカバー部３の磁力ＳＷ１４と本体部２の磁石１３を接近させた場合、磁力ＳＷ１４は磁石１３が接近したことによりＯＮ状態となり、閉状態検出回路６はＣＰＵ８にＯＮを示す検出信号（閉状態検出信号）を送出する。
【００５２】
折畳式携帯電話機１が全開状態または半開状態でカバー部３の磁力ＳＷ１４と本体部２の磁石１３が接近していない状態の場合、磁力ＳＷ１４はＯＦＦ状態であり、閉状態検出回路６はＣＰＵ８にＯＦＦを示す検出信号（非閉状態検出信号）を送出する。
【００５３】
次に全開状態検出回路７の動作について説明する。
【００５４】
図５（Ｃ）（Ｄ）に示すように、折畳式携帯電話機１にはカバー部３に磁石１５、他方の本体部２には磁力ＳＷ１５からなる全開検出回路７が設置され、この２つの素子は折畳式携帯電話機１が全開状態にある場合に接近し、半開状態又は閉状態の場合は接近しない位置に設置されている。
【００５５】
図５（Ｃ）のように折畳式携帯電話機１を閉状態又は半開状態にしてカバー部３の磁力ＳＷと本体部２の磁石が接近しない状態の場合、磁力ＳＷ１６はＯＦＦ状態であり、全開検出回路７はＣＰＵ８にＯＦＦを示す検出信号（非全開検出信号）を送出する。
【００５６】
図５（Ｄ）のように折畳式携帯電話機１を完全に開いてカバー部３の磁力ＳＷ１６と本体部２の磁石１５が接近した場合、磁力ＳＷ１６は磁石１５が接近したことによりＯＮ状態となり、全開検出回路７はＣＰＵ８にＯＮを示す検出信号（全開検出信号）を送出する。
【００５７】
ＣＰＵ８は以上の２つの検出回路からの信号により折畳式携帯電話機１の開閉状態が閉状態、全開状態、半開状態のいずれの状態にあるかを判別する。
【００５８】
次に図６を用いて開閉状態の判別動作について説明する。
【００５９】
図６は携帯電話機の開閉状態の判別動作を示すフローチャートである。
【００６０】
まずＣＰＵ８は、まず閉状態検出回路６から送出される検出信号を受信し、折畳式携帯電話機１が閉状態にあるか否か判断する（ステップＳ１）。
【００６１】
閉状態検出回路６から受信した検出信号が閉状態検出信号である場合には、ＣＰＵ８は、折畳式携帯電話機１が閉状態にあると判断する（ステップＳ３）。
【００６２】
閉状態検出回路６から受信した検出信号が非閉状態検出信号である場合には、ＣＰＵ８は、全開検出回路７から送出される検出信号を受信し折畳式携帯電話機１が全開状態にあるか否か判断する（ステップＳ２）。
【００６３】
全開検出回路７から受信した検出信号が全開検出信号である場合には、ＣＰＵ８は、折畳式携帯電話機１が全開状態にあると判断する（ステップＳ４）。
【００６４】
全開検出回路７から受信した検出信号が非全開検出信号である場合には、ＣＰＵ８は、折畳式携帯電話機１が半開状態にあると判断する（ステップＳ５）。
【００６５】
以上のように、閉状態を検出する回路とともに、全開状態を検出する回路を備えたことにより、折畳式携帯電話機の開閉状態を閉状態、全開状態及び半開状態のいずれの状態にあるか検出できる。
（３）開閉状態に応じた携帯電話機能の切替
以上の検出動作により検出された折畳式携帯電話機の各開閉状態、すなわち閉状態、全開状態、及び半開状態に応じて、携帯電話機が有する複数の機能の切替を行う動作について以下に説明する。
▲１▼着信動作の切替
まず、開閉状態に応じた着信通知機能の切替動作について図７を用いて説明する。
【００６６】
図７は本発明の着信通知機能の切替動作を示すフローチャートである。
【００６７】
通常、携帯電話機は電話着信時の着信時には着信音かバイブレータ、あるいはその両方を同時に用いて着信があったことをユーザーに通知する。ここでは、閉状態時の着信通知は着信音とバイブレータ１０の併用、全開状態時の着信通知はバイブレータ１０のみ、半開状態時の着信通知は着信音のみ、を夫々設定する例である。
【００６８】
ユーザーは、操作部１２のキー操作により閉状態、全開状態、及び半開状態の夫々の場合に折畳式携帯電話機１の着信通知方法を指定入力し、ＣＰＵ１２はメモリ９に当該着信通知方法を設定し（ステップＳ１１）、その記録通りに着信通知を行うように設定を有効にする（ステップＳ１２）。
【００６９】
設定後、外部からの電話着信があった場合（ステップＳ１３）、ＣＰＵ８は折畳式携帯電話機１の開閉状態を判別し、開閉状態毎に設定した方法で着信通知を行う。
【００７０】
閉状態で着信があった場合、ＣＰＵ８は閉状態検出信号の受信により閉状態であると判断し（ステップＳ１４）、着信音の鳴動開始とバイブレータ１０の振動開始を命令する（ステップＳ１６）。
【００７１】
全開状態で着信があった場合、ＣＰＵ８は非閉状態検出信号の受信により閉状態ではないと判断し（ステップＳ１４）、全開検出信号の受信により全開状態であると判断し（ステップＳ１５）、バイブレータ１０の振動開始を命令する（ステップＳ１７）。
【００７２】
半開状態で着信があった場合、ＣＰＵ８は非閉状態検出信号の受信により閉状態ではないと判断し（ステップＳ１４）、非全開検出信号を受信することにより半開状態であると判断し、着信音の鳴動開始を命令する（ステップＳ１８）。
【００７３】
以上のように、開閉状態に応じて着信通知方法を切替えることが可能であるため、ユーザーの使用状態に応じた着信通知が可能である。
【００７４】
また、各開閉状態に応じた着信通知方法の設定は変更可能であるため、ユーザーの意向に沿った着信通知動作が可能である。
▲２▼画面表示の切替
次に、本発明が全開状態か半開状態かを判別することが可能であることを利用して、全開状態と半開状態で画面表示を切替える場合について説明する。
【００７５】
まず折畳式携帯電話機１の開閉状態が全開状態では待ち受け画面表示、半開状態では時刻表示をするようにメモリ９に設定する。
【００７６】
設定後、折畳式携帯電話機１が全開状態の場合、ＣＰＵ８は閉状態検出回路６及び全開状態検出回路７からそれぞれ非閉状態検出信号及び全開検出信号を受信することによりディスプレイ５に通常の画面表示を行うよう指示する。
【００７７】
ユーザーが折畳式携帯電話機１を全開状態から半開状態にすると、ＣＰＵ８は閉状態検出回路６及び全開状態検出回路７からそれぞれ非閉状態検出信号及び非全開検出信号を受信することにより折畳式携帯電話機１が全開状態から半開状態に変更されたことを判別する。判別後、ＣＰＵ８は全開状態での画面等の設定情報をメモリ９に保存し、メモリ保存後にディスプレイ５の画面表示を時刻表示画面に変更する。
【００７８】
ユーザーが時刻確認後、折畳式携帯電話機１を半開状態から全開状態に変更すると、ＣＰＵ８は閉状態検出回路６及び全開状態検出回路７からそれぞれ非閉状態検出信号及び全開検出信号を受信することにより折畳式携帯電話機１が全開状態から半開状態に変更されたことを判別する。判別後、ＣＰＵ８は先に保存した全開状態時の情報をメモリ９から読み出し、画面表示を前の全開状態と同様の状態に切替える。
【００７９】
このように、ユーザーは折畳式携帯電話機を全開状態にしてメールを閲覧している時などに携帯電話機で時刻を知りたくなった場合には、メール閲覧機能を終了せずに、全開状態から半開状態に切替えることで簡単に時刻の確認ができ、また時刻確認後も、開閉状態を全開状態に戻すという簡単な操作で元のメール画面に戻ることができるため、ボタンの押下等に比べて操作が簡単である。
【００８０】
以上ここでは切替える画面を時刻表示の場合について説明したが、その他カレンダー表示などユーザーが操作部１２での入力を通じて画面表示を任意に設定することも可能である。
▲３▼バックライト点灯機能
次に、本発明が全開状態を認識できることを利用して、全開状態に切替する度にバックライトを点灯する場合について説明する。
【００８１】
携帯電話機の有する機能をあらかじめ各開閉状態ごとに設定し、検出した開閉状態に応じて機能を切替える点で、上記▲１▼で説明した機能の切替と同様の切替動作により行うものである。
【００８２】
まず、ユーザーは、操作部１２のキー操作により携帯電話機１を全開状態にした場合にバックライト１１を点灯させるようあらかじめ機能設定する。
【００８３】
設定後、ユーザーが携帯電話機１の開閉状態を半開状態から全開状態にすると、全開状態検出回路７はそれまでの非全開検出信号の送出をやめ、全開検出信号を送出する。ＣＰＵ８は受信する検出信号が、非全開検出信号から全開検出信号に変化したのを検出し、バックライト１１を点灯させる。
【００８４】
暗い場所での携帯電話機でのメール閲覧などにおいては、バックライト点灯は必須であるが、消費電力削減のためバックライトを点灯してから一定時間が経過すると自動的にバックライトを消灯する機能を多くの携帯電話は有している。本実施の形態では、このような場合でも、メール閲覧中にバックライトが消灯しても、開閉操作を行うことでバックライトを再点灯することができ、特に暗い場所でのキー操作で行う場合に比べて間違い操作の心配もなく、また従来の携帯電話機のように一度閉状態にすることなく全開状態と半開状態との開閉操作で済むため、操作自体も簡易化できる。
▲４▼着信対応機能
次に、携帯電話機の開閉状態に応じて着信対応機能を切替える場合について説明する。
【００８５】
まず、ユーザーは操作部１２のキー操作により、半開状態で着信があった場合、着信中に半開状態から全開状態に変更すると着信応答を行い、着信中に半開状態から閉状態状態に変更すると着信切断を行うようにあらかじめ機能設定する。
【００８６】
設定後、ユーザーが半開状態で着信中に折畳式携帯電話機１を全開状態にすると、全開状態検出回路７はそれまでの非全開検出信号の送出をやめ、全開検出信号を送出する。ＣＰＵ８は全開状態検出回路７から受信する検出信号が、非全開検出信号から全開検出信号に変化したのを検出し、着信応答を行うように制御する。
【００８７】
また、半開状態で着信中に折畳式携帯電話機１を閉状態にすると、閉状態検出回路６はそれまでの非閉状態検出信号の送出をやめ、閉状態検出信号を送出する。ＣＰＵ８は閉状態検出回路６から受信する検出信号が、非閉状態検出信号から閉状態検出信号に変化したのを検出し、着信切断を行うよう制御する。
【００８８】
上記の着信応答や着信切断のほか、応答保留など、着信対応機能はユーザーが任意に設定することができる。
【００８９】
このように、着信時に開閉状態を変化させるだけで着信応答や切断等を行うことができるため、開閉操作のみで着信時の対応が可能となり、キー押下による着信対応に比べて操作の間違いも少なく、また操作自体も簡易化できる。
(４）上記実施形態においては、携帯電話機の開閉状態の検出のための閉状態検出回路及び全開状態検出回路には磁石スイッチを用いたが、これに限らず、図８に示すような押下型の機構スイッチを用いることも可能である。
【００９０】
押下型の機構スイッチを用いた検出回路は突起１７と押下型ＳＷ１８の２つの素子で構成されており、押下型ＳＷ１８はＣＰＵ８と接続され、通常時はＯＦＦ状態にあり押下することでＯＮ状態になる回路であり、図９に示すように、閉状態検出回路及び全開状態検出回路として、カバー部と本体部にそれぞれ設置することにより、前述の磁力スイッチを用いた場合と同様に検出手段としての役割を果たす。
【００９１】
また、押下型の機構スイッチは図１０に示すように突起２２が押下型ＳＷ２１についており、他方が平面になっている機構スイッチも可能である。
（II）第２実施形態
次に、本発明に係る第２の実施の形態について説明する。
【００９２】
本実施の形態は、折畳式携帯電話機の開閉角度を検出し、開閉状態を判別することにより、開閉状態に応じて携帯電話機の有する複数の機能を切替える場合についてのものである。
（１）全体構成
まず、本発明に係る折畳式携帯電話機の構成について図１１を用いて説明する。
【００９３】
図１１は本発明の第２実施形態に係る折畳式携帯電話機の外観構成例を示す図である。
【００９４】
図１１に示すように折畳式携帯電話機３０は、大別して第一の筐体としての本体部３２と、第二の筐体としてのカバー部３１と、ヒンジ部としてのヒンジ機構３４と、各種情報を表示するディスプレイ３６と、入力手段としての操作部３５と、を含んで構成される。
【００９５】
折畳式携帯電話機３０はヒンジ機構３４を介して本体部３２とカバー部３１の二つの筐体が相互に回転し、開閉可能な構造になっている。
【００９６】
次に折畳式携帯電話機３０の機能について図１２を用いて説明する。
【００９７】
図１２は本発明の第２実施形態に係る折畳式携帯電話機の機能ブロックの一例を  示す図である。
【００９８】
折畳式携帯電話機３０は、ディスプレイ３６と、開閉角度検出回路３３と、ＣＰ  Ｕ３８と、各種機能設定等を記憶するメモリ３８と、折畳式携帯電話機３０を振  動させるバイブレータ４０と、ディスプレイ３６の画面表示を明るくするための  光源としてのバックライト３９と、操作部３５と、を含んで構成する。
【００９９】
開閉角度検出手段３３は、折畳式携帯電話機３０の本体部３２とカバー部３１と  がヒンジ部３４を介してなす角度（開閉角度）を検出する検出手段として機能し  、検出結果をＣＰＵ３７に送出する。
【０１００】
ＣＰＵ３７は、開閉角度検出手段３３の検出結果を受信し、折畳式携帯電話機３０の開閉状態を判定する判定手段として機能する。
【０１０１】
またＣＰＵ３７は開閉状態の判定結果に応じて、入力手段として機能する操作部３５を通じてメモリ３８に設定記憶されたユーザーの指定する動作を行うようにバックライト３９やディスプレイ３６やバイブレータ４０の動作を制御する制御手段としても機能する。
（２）開閉状態の検出
次に、図１３を用いて本発明における折畳式携帯電話機の開閉状態の検出動作について説明する。図１３は本発明の第２実施形態に係る回転式可変抵抗の開閉検出を示す側面図である。
【０１０２】
開閉角度検出手段３３には回転式可変抵抗４１が設置されている。
【０１０３】
回転式可変抵抗４１は素子の回転部を回転させることより抵抗値が変化する素子である。ある方向に回転部をまわすと抵抗値が大きくなり、逆の方向にまわすと抵抗値は小さくなる仕組みになっている。
【０１０４】
図１３に示すようにこの回転式可変抵抗４１を、折畳式携帯電話機３０を開閉操作した場合に本体部３２とカバー部３１の開閉角度の変化に連動して回転するように、折畳式携帯電話機３０の本体部３２とカバー部３１が開閉動作する軸の部分であるヒンジ機構部２４に取りつけ開閉角度検出手段３３として用いる。
【０１０５】
これにより、折畳式携帯電話機３０を開閉操作して角度を変化させると回転式改変抵抗３１が回転し、可変抵抗素子の抵抗値が変化する。
【０１０６】
ＣＰＵ３７は開閉角度検出手段３３から送出される抵抗値の値から折畳式携帯電話機３０の開閉角度を検出し、折畳式携帯電話機３０の開閉状態を判定する。
【０１０７】
また、この抵抗値検出による開閉角度をＣＰＵ３７で一定角度の範囲で検出することにより、図１２（Ａ）（Ｂ）のように半開状態を多段階に識別することが可能となる。
（３）開閉状態に応じた携帯電話機能の切替
開閉角度の検出により折畳式携帯電話機の開閉状態を判別可能にしたことを利用して、上記第１実施形態と同様に開閉状態に応じた電話機の機能切替、すなわち着信通知方法、画面表示、バックライト点灯及び着信対応等、携帯電話機が有する機能を開閉状態に応じて切替える動作が可能となる。
【０１０８】
開閉状態検出後の機能切替動作は、上記第１実施形態において図７に基づき説明した動作と同様の動作であるため、ここでの説明は省略するが、本実施の形態においては、携帯電話機の半開状態を多段階に検出可能である。
【０１０９】
以上のように、開閉角度の検出により折畳式携帯電話機の開閉状態を判別し、携帯電話機の有する機能を開閉状態に応じて切替えるように構成したので、ボタン押下等に比べて、間違い操作の心配もなく、また操作自体も簡易化できる。
【０１１０】
また、本実施の形態は、携帯電話機の開閉状態を開閉角度の検出により３段階以上に識別することができるため機能切替動作を多段階にきめ細かく設定することも可能である。
（４）以上本実施の形態では、開閉角度検出手段として、回転式可変抵抗を使用する構成をとったが、多段階スイッチを使用する構成も可能である。
【０１１１】
図１４は本発明の第２実施形態に係る多段階スイッチの開閉検出を示す側面図である。
【０１１２】
図１４に示すようにこの多段階スイッチ４２は本体部３２とカバー部３１とを接続しているヒンジ機構部２４に設置されており、折畳式携帯電話機の開閉角度が変化することで接触個所が変化してスイッチが多段階に切替するようになっており、また、このスイッチはＣＰＵ３７に接続され、ＣＰＵ３７がスイッチの状態を識別できるようになっている。このスイッチの状態によりＣＰＵ３７は折畳式携帯電話機３０がどのような開閉状態であるかを判別する。
【０１１３】
折畳式携帯電話機３０を開閉操作して開閉角度を変化させるとスイッチの接触位置が図１４（Ａ）乃至（Ｄ）のように変化してスイッチが切り替わる。ＣＰＵ３７はスイッチの状態を検出することで、折畳式携帯電話機３０の開閉状態を判別することが可能となる。
【０１１４】
図１４では、開閉状態を、閉状態、全開状態、半開状態が２段階、の４段階の開閉状態を検出できるスイッチを用いているが、半開状態を２段階以上に識別できるスイッチを用いることで開閉状態を４段階以上に識別することも可能である。
（III）第３実施形態
次に、本発明に係る第３の実施の形態について説明する。
【０１１５】
本実施の形態は、スライド式携帯電話機の開閉状態を閉状態、全開状態、半開状態のいずれの状態にあるか検出し、検出した開閉状態に応じて携帯電話機の有する複数の機能を切替える場合についてのものである。
（１）全体構成
まず、本発明に係るスライド式携帯電話機５０の構成について図１５を用いて説明する。
【０１１６】
図１５は本発明の第３実施形態に係るスライド式携帯電話機の外観構成例を示す図である。
【０１１７】
図１５に示すように折畳式携帯電話機３０は、大別して第一の筐体としての本体部５１と、第二の筐体としての表示部５２と、入力手段としての操作部５３と、各種情報を表示するディスプレイ５４と、を含んで構成される。
【０１１８】
折畳式携帯電話機５０は第一の筐体と第二の筐体とが互いにスライド可能に連結し伸縮可能な構造になっている。
【０１１９】
ここで、図１５を用いてスライド式携帯電話機５０の開閉状態について説明する。
【０１２０】
図１５（Ａ）は、スライド式携帯電話機５０が表示部５２と本体部５１のスライド機構を完全に伸ばした状態にあることを示しており、この状態を全開状態と呼ぶ。
【０１２１】
図１５（Ｃ）は、スライド式携帯電話機５０が表示部５２と本体部５１のスライド機構を完全に縮めた状態にあることを示しており、この状態を閉状態と呼ぶ。
【０１２２】
図１５（Ｂ）は、スライド式携帯電話機５０が全開状態と閉状態との間の状態にあることを示しており、この状態を半開状態と呼ぶ。
【０１２３】
次に本発明に係るスライド式携帯電話機５０の機能について図１６を用いて説明する。
【０１２４】
図１６は本発明の第３実施形態に係るスライド式携帯電話機の機能ブロックの一例を示す図である。
【０１２５】
図１６に示すように開閉状態検出回路５６は、スライド式携帯電話機５０の開閉状態が、閉状態、半開状態、全開状態のいずれの状態にあるかを検出する検出手段として機能し、検出結果をＣＰＵ５５に送出する。
【０１２６】
ＣＰＵ５５は、開閉状態検出回路５６の検出結果を受信し、スライド式携帯電話機５０の開閉状態が、閉状態、全開状態、または半開状態のいずれの状態にあるかを判定する判定手段として機能する。
【０１２７】
またＣＰＵ５５は開閉状態の判定結果に応じて、入力手段として機能する操作部５３を通じてメモリ５７に設定記憶されたユーザーの指定する動作を行うようにバックライト５８やディスプレイ５４やバイブレータ５８の動作を制御する制御手段としても機能する。
（２）開閉状態の検出
次に、図１７を用いて本発明におけるスライド式携帯電話機５０の開閉状態の検出動作について説明する。図１７はスライド式携帯電話機５０の各開閉状態における側面図である。
【０１２８】
スライド式携帯電話機５０には、表示部５２に磁石６２、他方の本体部部３１には２つの磁力スイッチからなる開閉状態検出回路５６が設置してある。磁力スイッチの素子の接近状態の検出方法は図４において上記第１の実施の形態で説明した方法と同様であるため、説明は省略する。
【０１２９】
本体部５１の内部には２つの磁力ＳＷが配置されており、表示部５２には磁石６２が、閉状態を検出するための磁力ＳＷ（閉検出ＳＷ６１）は閉状態の場合に本体部５１の磁石６２と接近する位置にあり、２つめの磁力ＳＷ（全開検出ＳＷ６０）は全開状態の場合に本体部５１の磁石と接近する位置にある。
【０１３０】
図１７（Ｃ）に示すようにスライド式携帯電話機５０が閉状態にある場合、表示部５２の磁石６２は本体部５１の閉検出ＳＷ６１と接近した状態にあり、閉検出ＳＷ６１は磁力によりＯＮ状態にあり、磁石６２と離れた状態にある全開検出ＳＷ６０はＯＦＦ状態にあり、開閉状態検出回路５６は閉状態検出信号及び非全開状態検出信号をＣＰＵ５５へ送出する。
【０１３１】
次に図１７（Ａ）に示すように表示部５２と本体部５１のスライド機構を完全に伸ばした全開状態の場合、表示部５２の磁石６２は本体部５１の全開検出ＳＷ６０と接近した状態にあり、全開検出ＳＷ６０は磁力によりＯＮ状態にあり、磁石６２と離れた状態にある閉検出ＳＷ６１はＯＦＦ状態にあり、開閉状態検出回路５６は全開状態検出信号及び非閉状態検出信号をＣＰＵ５５へ送出する。
【０１３２】
また図１７（Ｂ）に示すように、半開状態の場合、表示部５２の磁石６２は本体部５１の閉検出ＳＷ６１と全開検出ＳＷ６０の両方と離れた状態にありＳＷは共にＯＦＦ状態にあり、非閉状態検出信号及び非全開検出信号をＣＰＵ５５へ送出する。
【０１３３】
以上の開閉状態検出回路５６の検出結果に基づき、ＣＰＵ５５はスライド式携帯電話機５０の開閉状態が閉状態、半開状態又は全開状態のいずれの状態にあるかを判別する。ＣＰＵ５５の判別動作については、上記第１実施形態において図６で説明した動作と同様である。
【０１３４】
なお、以上の例では磁力スイッチによる検出回路を用いた場合について説明したが、上記第１実施形態と同様に押下スイッチによる検出回路を用いることも可能である。
（３）開閉状態に応じた携帯電話機能の切替
スライド式携帯電話機の開閉状態が閉状態、全開状態、半開状態のいずれの状態にあるか検出可能にしたことを利用して、開閉状態に応じた電話機の機能切替が可能である。
【０１３５】
スライド式携帯電話機は、スライド機構により開閉できるので、使用時にはスライド機構を伸ばして全開状態にしておき、携帯時にはスライド機構を縮めて閉状態にして持ち運びすることができる。そのため折畳式携帯電話機と同様に使用状態に適した開閉状態があり、着信通知方法、画面表示、バックライト点灯及び着信対応等、携帯電話機が有する機能を開閉状態に応じて切替える動作が可能となる。開閉状態検出後の携帯電話機の機能切替は、上記第１の実施の形態において図７に基づき説明した動作と同様の動作であるため、ここでの説明は省略する。
【０１３６】
スライド式携帯電話機において、開閉状態に応じた機能切替を行うことにより、ボタン押下等に比べて、間違い操作の心配もなく、また操作自体も簡易化できる。
【０１３７】
【発明の効果】
以上説明したように、本発明によれば、携帯電話機の開閉状態が閉状態、全開状態、半開状態のいずれの状態にあるかを判別することができ、さらに、ユーザーの携帯電話機の使用状態に応じて、開閉状態ごとに機能を任意に変更でき、個人に合わせた環境を設定できる。
【０１３８】
また携帯電話機のユーザーは、キー押下等の切替操作を行うことなく、携帯電話機の有する機能について夫々の開閉状態に適した機能に切替えることができ、また開閉操作を機能切替のスイッチとして使用できる。
【図面の簡単な説明】
【図１】本発明の第１実施形態に係る折畳式携帯電話機の外観構成例を示す図である。
【図２】本発明の第１実施形態に係る折畳式携帯電話機の機能ブロックの一例を示す図である。
【図３】本発明の第１実施形態に係る折畳式携帯電話機の開閉状態を示す側面図である。
【図４】磁石式スイッチの検出動作を示す図である。
【図５】本発明の第１実施形態に係る折畳式携帯電話機の開閉検出動作を示す側面図である。
【図６】本発明の開閉状態の判別動作を示すフローチャートである。
【図７】本発明の着信通知機能の切替動作を示すフローチャートである。
【図８】押下型スイッチの検出動作を示す図である。
【図９】第１実施形態において押下型スイッチを検出回路に用いた場合の検出動作を示す側面図である。
【図１０】押下型スイッチの検出動作を示す図である。
【図１１】本発明の第２実施形態に係る折畳式携帯電話機の外観構成例を示す図である。
【図１２】本発明の第２実施形態に係る折畳式携帯電話機の機能ブロックの一例を示す図である。
【図１３】本発明の第２実施形態に係る回転式可変抵抗の開閉検出を示す側面図である。
【図１４】本発明の第２実施形態に係る多段階スイッチの開閉検出を示す側面図である。
【図１５】本発明の第３実施形態に係るスライド式携帯電話機の外観構成例を示す図である。
【図１６】本発明の第３実施形態に係るスライド式携帯電話機の機能ブロックの一例を示す図である。
【図１７】本発明の第３実施形態に係るスライド式携帯電話機の開閉検出を示す側面図である。
【符号の説明】
１・・・・折畳式携帯電話機
２・・・・本体部
３・・・・カバー部
４・・・・ヒンジ機構
５・・・・ディスプレイ
６・・・・閉状態検出回路
７・・・・全開状態検出回路
８・・・・ＣＰＵ
９・・・・メモリ
１０・・・バイブレータ
１１・・・バックライト
１２・・・操作部
１３・・・磁石
１４・・・磁力ＳＷ
１５・・・磁石
１６・・・磁力ＳＷ
１７・・・突起
１８・・・押下型ＳＷ
１９・・・押下型ＳＷ
２０・・・突起
２１・・・押下型ＳＷ
２２・・・突起
３０・・・折畳式携帯電話機
３１・・・カバー部
３２・・・本体部
３３・・・開閉角度検出手段
３４・・・ヒンジ機構
３５・・・操作部
３６・・・ディスプレイ
３７・・・ＣＰＵ
３８・・・メモリ
３９・・・バックライト
４０・・・バイブレータ
４１・・・回転式可変抵抗
４２・・・多段階スイッチ
５０・・・スライド式携帯電話
５１・・・本体部
５２・・・表示部
５３・・・操作部
５４・・・ディスプレイ
５５・・・ＣＰＵ
５６・・・開閉状態検出回路
５７・・・メモリ
５８・・・バックライト
５９・・・バイブレータ
６０・・・全開検出ＳＷ
６１・・・閉検出ＳＷ
【図１】
0004030780.tif 000002
【図２】
0004030780.tif 000003
【図３】
0004030780.tif 000004
【図４】
0004030780.tif 000005
【図５】
0004030780.tif 000006
【図６】
0004030780.tif 000007
【図７】
0004030780.tif 000008
【図８】
0004030780.tif 000009
【図９】
0004030780.tif 000010
【図１０】
0004030780.tif 000011
【図１１】
0004030780.tif 000012
【図１２】
0004030780.tif 000013
【図１３】
0004030780.tif 000014
【図１４】
0004030780.tif 000015
【図１５】
0004030780.tif 000016
【図１６】
0004030780.tif 000017
【図１７】
0004030780.tif 000018